(57)【要約】【課題】  通信機の中の受信機のイメージ除去特性を決定するシステム及び方法が提供される。【解決手段】  通信機は、共通ローカル発振器を使用する。方法は、スペクトルピークを有するテスト信号を生成するステップと、前記スペクトルピークの中心周波数からのオフセットを有する周波数を有するローカル発振器信号を生成するステップと、を有する。さらに、方法は、ダウンミックス信号を生成するために、前記ローカル発振器信号を用いて、前記受信機において前記テスト信号をダウンミックスするステップを有する。さらに、方法は、ダウンミックス信号の所望の信号成分に対応する第１の周波数範囲の中のダウンミックス信号の信号特性の第１の値を計算するステップと、ダウンミックス信号の不要な信号成分に対応する第２の周波数範囲におけるダウンミックス信号の信号特性を計算するステップと、を有する。方法は、イメージ除去特性を生成するために、第１の値と第２の値を比較するステップを更に有する。【選択図】  図９
2017011688.tif 000002
【特許請求の範囲】
【請求項１】
共通ローカル発振器を用いる通信機の内部の受信機のイメージ除去特性を決定する方法であって、
スペクトルピークを有するテスト信号を生成するステップと、
前記スペクトルピークの中心周波数からのオフセットを有する周波数を有するローカル発振器信号を生成するステップと、
ダウンミックス信号を生成するために、前記ローカル発振器信号を用いて前記受信機において前記テスト信号をダウンミックスするステップと、
前記ダウンミックス信号の所望の信号成分に対応する第１の周波数範囲における前記ダウンミックス信号の信号特性の第１の値を計算するステップと、
前記ダウンミックス信号の不要な信号成分に対応する第２の周波数範囲における前記ダウンミックス信号の前記信号特性の第２の値を計算するステップと、
前記イメージ除去特性を生成するために、前記第１の値及び前記第２の値を比較するステップと、
を有する方法。
【請求項２】
前記第１の周波数範囲の中心周波数は、中間周波数からのオフセットを有し、前記第２の周波数範囲は、前記中間周波数に関して前記第１の周波数範囲の鏡面反転である、請求項１に記載の方法。
【請求項３】
前記中間周波数はゼロである、請求項２に記載の方法。
【請求項４】
前記テスト信号は、前記ローカル発振器信号の周波数に関して前記スペクトルピークの鏡面反転である別のスペクトルピークを削除する、請求項１乃至３のいずれか一項に記載の方法。
【請求項５】
前記テスト信号は、複数の等距離スペクトルピークを有する、請求項４に記載の方法。
【請求項６】
前記信号特性の前記第１の値は、前記第１の周波数範囲における前記ダウンミックス信号のエネルギに関連し、前記信号特性の前記第２の値は、前記第２の周波数範囲における前記ダウンミックス信号のエネルギに関連する、請求項１乃至３のいずれか一項に記載の方法。
【請求項７】
前記信号特性の前記第１の値及び前記信号特性の前記第２の値を比較するステップは、前記信号特性の前記第１の値と前記信号特性の前記第２の値との比を計算するステップを有する、請求項１乃至３のいずれか一項に記載の方法。
【請求項８】
共通ローカル発振器を用いる通信機の内部の受信機のイメージ除去特性を決定する方法であって、
スペクトルピークを有するテスト信号を生成するステップであって、ローカル発振器信号は、前記スペクトルピークの中心周波数からのオフセットを有する周波数を有し、第２のローカル発振器信号は、前記スペクトルピークの前記中心周波数に関して前記ローカル発振器信号の鏡面反転である周波数を有する、ステップと、
ダウンミックス信号を生成するために前記ローカル発振器信号を用いて前記受信機において前記テスト信号をダウンミックスし、及び第２のダウンミックス信号を生成するために前記第２のローカル発振器信号を用いて前記受信機において前記テスト信号をダウンミックスするステップと、
前記ダウンミックス信号の信号特性の値と前記ダウンミックス信号の所望の信号成分に対応する周波数範囲における前記第２のダウンミックス信号の前記信号特性の値とを計算するステップと、
前記イメージ除去特性を生成するために、前記ダウンミックス信号の前記信号特性の前記値と前記第２のダウンミックス信号の前記信号特性の前記値とを比較するステップと、
を有する方法。
【請求項９】
前記テスト信号は、前記ローカル発振器信号の周波数に関して前記スペクトルピークの鏡面反転である別のスペクトルピークを削除し、前記テスト信号は、第２のローカル発振器信号の周波数に関して前記スペクトルピークの鏡面反転である別のスペクトルピークを有しない、請求項８に記載の方法。
【請求項１０】
前記テスト信号は、複数の等距離スペクトルピークを有する、請求項９に記載の方法。
【請求項１１】
前記ダウンミックス信号の前記信号特性の前記値は、前記周波数範囲における前記ダウンミックス信号のエネルギに関連し、前記第２のダウンミックス信号の前記信号特性の前記値は、前記周波数範囲における前記第２のダウンミックス信号のエネルギに関連する、請求項８乃至１０のいずれか一項に記載の方法。
【請求項１２】
前記ダウンミックス信号の前記信号特性の前記値と前記第２のダウンミックス信号の前記信号特性の前記値とを比較するステップは、前記ダウンミックス信号の前記信号特性の前記値と前記第２のダウンミックス信号の前記信号特性の前記値との比を計算するステップを有する、請求項８乃至１０のいずれか一項に記載の方法。
【請求項１３】
ＧＮＳＳ（Global  Navigation  Satellite  System）受信機のイメージ除去特性を決定する方法であって、
スペクトルピークを有するテスト信号を生成するステップと、
前記スペクトルピークの中心周波数からのオフセットを有する周波数を有するローカル発振器信号を生成するステップと、
ダウンミックス信号を生成するために、前記受信機において前記テスト信号をダウンミックスするステップと、
前記ダウンミックス信号の所望の信号成分に対応する第１の周波数範囲における前記ダウンミックス信号の信号特性の第１の値を計算するステップと、
前記ダウンミックス信号の不要な信号成分に対応する第２の周波数範囲における前記ダウンミックス信号の前記信号特性の第２の値を計算するステップと、
前記イメージ除去特性を生成するために、前記第１の値及び前記第２の値を比較するステップと、
を有する方法。
【請求項１４】
前記第１の周波数範囲の中心周波数は、中間周波数からのオフセットを有し、前記第２の周波数範囲は、前記中間周波数に関して前記第１の周波数範囲の鏡面反転である、請求項１３に記載の方法。
【請求項１５】
前記テスト信号は、前記ローカル発振器信号の周波数に関して前記スペクトルピークの鏡面反転である別のスペクトルピークを削除する、請求項１３又は１４に記載の方法。
【請求項１６】
ＧＮＳＳ（Global  Navigation  Satellite  System）受信機のイメージ除去特性を決定する方法であって、
スペクトルピークを有するテスト信号を生成するステップであって、ローカル発振器信号は、前記スペクトルピークの中心周波数からのオフセットを有する周波数を有し、第２のローカル発振器信号は、前記スペクトルピークの前記中心周波数に関して前記ローカル発振器信号の鏡面反転である周波数を有する、ステップと、
ダウンミックス信号を生成するために前記ローカル発振器信号を用いて前記受信機において前記テスト信号をダウンミックスし、及び第２のダウンミックス信号を生成するために前記第２のローカル発振器信号を用いて前記受信機において前記テスト信号をダウンミックスするステップと、
前記ダウンミックス信号の信号特性の値と前記ダウンミックス信号の所望の信号成分に対応する周波数範囲における前記第２のダウンミックス信号の前記信号特性の値とを計算するステップと、
前記イメージ除去特性を生成するために、前記ダウンミックス信号の前記信号特性の前記値と前記第２のダウンミックス信号の前記信号特性の前記値とを比較するステップと、
を有する方法。
【請求項１７】
前記テスト信号は、前記ローカル発振器信号の周波数に関して前記スペクトルピークの鏡面反転である別のスペクトルピークを削除し、前記テスト信号は、前記第２のローカル発振器信号の周波数に関して前記スペクトルピークの鏡面反転である別のスペクトルピークを削除する、請求項１６に記載の方法。
【請求項１８】
共通ローカル発振器を用いる通信機の内部の受信機のイメージ除去特性を決定するシステムであって、
スペクトルピークを有するテスト信号を生成するよう構成される信号生成器であって、
前記ローカル発振器は、前記スペクトルピークの中心周波数からのオフセットを有する周波数を有するローカル発振器信号を生成するよう構成され、
前記受信機は、ダウンミックス信号を生成するために、前記ローカル発振器信号を用いて前記テスト信号をダウンミックスするよう構成される、信号生成器と、
前記ダウンミックス信号の所望の信号成分に対応する第１の周波数範囲における前記ダウンミックス信号の信号特性の第１の値を計算し、前記ダウンミックス信号の不要な信号成分に対応する第２の周波数範囲における前記ダウンミックス信号の前記信号特性の第２の値を計算し、前記イメージ除去特性を生成するために、前記第１の値及び前記第２の値を比較するよう構成される分析ユニットと、
を有するシステム。
【請求項１９】
前記第１の周波数範囲の中心周波数は、中間周波数からのオフセットを有し、前記第２の周波数範囲は、前記中間周波数に関して前記第１の周波数範囲の鏡面反転である、請求項１８に記載のシステム。
【請求項２０】
前記テスト信号は、前記ローカル発振器信号の周波数に関して前記スペクトルピークの鏡面反転である別のスペクトルピークを削除する、請求項１８又は１９に記載のシステム。
【請求項２１】
前記テスト信号は、複数の等距離スペクトルピークを有する、請求項２０に記載のシステム。
【請求項２２】
前記信号生成器は、前記ローカル発振器のために使用される基準信号の周波数を逓倍することにより、前記テスト信号を生成するよう構成される、請求項１８又は１９に記載のシステム。
【請求項２３】
共通ローカル発振器を用いる通信機の内部の受信機のイメージ除去特性を決定するシステムであって、
スペクトルピークを有するテスト信号を生成するよう構成される信号生成器であって、
前記ローカル発振器は、前記スペクトルピークの中心周波数からのオフセットを有する周波数を有するローカル発振器信号と、前記スペクトルピークの前記中心周波数に関して前記ローカル発振器信号の周波数の鏡面反転である周波数を有する第２のローカル発振器信号と、を生成するよう構成され、
前記受信機は、ダウンミックス信号を生成するために、前記ローカル発振器信号を用いて前記テスト信号をダウンミックスし、第２のダウンミックス信号を生成するために、前記第２のローカル発振器信号を用いて前記テスト信号をダウンミックスするよう構成される、信号生成器と、
前記ダウンミックス信号の信号特性の値と、前記ダウンミックス信号の所望の信号成分に対応する第１の周波数範囲における前記第２のダウンミックス信号の前記信号特性の値と、を計算し、前記イメージ除去特性を生成するために、前記ダウンミックス信号及び前記第２のダウンミックス信号の前記信号特性の前記値を比較するよう構成される分析ユニットと、
を有するシステム。
【請求項２４】
前記テスト信号は、前記ローカル発振器信号の周波数に関して前記スペクトルピークの鏡面反転である別のスペクトルピークを削除し、前記テスト信号は、第２のローカル発振器信号の周波数に関して前記スペクトルピークの鏡面反転である別のスペクトルピークを削除する、請求項２３に記載のシステム。
【請求項２５】
前記テスト信号は、複数の等距離スペクトルピークを有する、請求項２４に記載のシステム。
【発明の詳細な説明】
【技術分野】
【０００１】
例は、イメージ除去自己診断に関する。特に、幾つかの例は、共通のローカル発振器を用いる通信機の内部の受信機のイメージ除去特性を決定するシステム及び方法に関する。幾つかの例は、ＧＮＳＳ（Global  Navigation  Satellite  System）受信機のイメージ除去特性を決定するシステム及び方法に関する。
【背景技術】
【０００２】
内蔵自己診断は、通信機の生産試験、監視、又は再較正のために使用され得る。ダウンミックス信号及びアップミックス信号を提供するために共通のローカル発振器を用いる通信機、例えば、（例えば受信信号に基づき）ダウンミックス信号を提供するために受信機の中で及び（例えば送信信号又はベースバンド信号に基づき）アップミックス信号を提供するために送信機の中で用いられるローカル発振器信号を提供する共通周波数合成器を有する通信機では、自己診断のためのテスト信号は、ローカル発振器信号の振幅変調により生成されても良い。生成されたテスト信号の周波数スペクトルは、搬送波周波数（つまり、ローカル発振器信号の周波数）に対して対称的な２つの側波帯を有する。通信機の多くのパラメータは、このような生成されたテスト信号の変調周波数を調整することによりテストされても良い。例えば、受信機の利得、周波数応答、及び線形性がテストされても良い。イメージ除去は、そのイメージ周波数、つまり受信機の中間周波数に対して等距離（equidistant）だが所望の周波数とは反対にある周波数における信号を排除する受信機の能力を表す。従来の方法で生成されるテスト信号は、ローカル発振器信号の周波数に対して同じ周波数オフセットを有する側波帯トーンの対を有する。したがって、それらは、（ローカル発振器信号の周波数に関して）互いにイメージとして作用する。したがって、テスト信号自体がイメージ成分を有するので、受信機のイメージ除去特性は、テスト信号によりテストすることができない。
【０００３】
例えば、ＧＰＳ（Global  Positioning  System）、ＧＬＯＮＡＳＳ（GLObal  NAvigation  Satellite  System）、ガリレオシステム又はＢｅｉＤｏｕシステムを用いるＧＮＳＳ受信機では、イメージ除去は重要な特長である。しかしながら、ＧＮＳＳ受信機を組み込んでいるシステムは、従来、送信段を有しないので、ＧＮＳＳ受信機のイメージ除去特性のために内部（内蔵）自己診断を提供することは、従来、可能ではない。
【０００４】
したがって、通信機の中の受信機又は受信機のためのイメージ除去テストを向上するという要望がある。
【図面の簡単な説明】
【０００５】
装置及び／又は方法の幾つかの例は、単に例として、及び添付の図面を参照して、以下に記載される。
【図１】通信機の中の受信機のイメージ除去特性を決定するシステムの一例を示す。
【図２】通信機の中の受信機のイメージ除去特性を決定するシステムの別の例を示す。
【図３】周波数逓倍器の一例を示す。
【図４】（ａ）は周波数逓倍器の入力信号の一例を示し、（ｂ）は周波数逓倍器により提供される出力信号の一例を示し、（ｃ）は（ｂ）に示す出力信号のスペクトルの一例を示す。
【図５】ＧＮＳＳ（Global  Navigation  Satellite  System）受信機のイメージ除去特性を決定するシステムの一例を示す。
【図６】テスト信号のスペクトルの一例を示す。
【図７】通信機の中の受信機のイメージ除去特性を決定するシステム及び／又はＧＮＳＳ受信機のイメージ除去特性を決定するシステムを有するモバイル通信装置の一例を示す。
【図８】ＧＮＳＳ受信機のイメージ除去特性を決定するシステムを有するナビゲーション装置を示す。
【図９】通信機の中の受信機のイメージ除去特性を決定する方法の一例のフローチャートを示す。
【図１０】通信機の中の受信機のイメージ除去特性を決定する方法の別の例のフローチャートを示す。
【図１１】ＧＮＳＳ受信機のイメージ除去特性を決定する方法の一例のフローチャートを示す。
【図１２】ＧＮＳＳ受信機のイメージ除去特性を決定する方法の別の例のフローチャートを示す。
【発明を実施するための形態】
【０００６】
幾つかの例が示される添付の図面を参照して、種々の例が更に十分に記載される。図中、線、レイヤ、及び／又は領域の濃淡は、明確さのために誇張される場合がある。
【０００７】
したがって、更なる例は種々の変更及び代替形式が可能であるが、それらの幾つかの例は、図に例として示され、以下に詳述される。しかしながら、例を開示の特定の形式に限定する意図はなく、むしろ、例は、本開示の範囲に包含される全ての変更、等価、及び代替をカバーすることが理解されるべきである。図の説明を通じて、同様の参照符号は、同様の又は類似の要素を表す。
【０００８】
要素が別の要素に「接続される（connected）」又は「結合される（coupled）」として表されるとき、該要素が他の要素に直接接続又は結合され得ること又は中間要素が存在し得ることが理解される。対照的に、要素が別の要素に「直接接続される」又は「直接結合される」として表されるとき、中間要素は存在しない。要素間の関係を説明するために用いられる他の語は、同様に解釈されるべきである（例えば、「間に」と「直接、間に」、「隣接して」と「直接隣接して」等）。
【０００９】
本願明細書で用いられる用語は、特定の例を説明することのみを目的としており、更なる例の限定になることを意図しない。本願明細書で用いられるように、単数形（ａ、ａｎ、ｔｈｅ）は、文脈上明確に示さない限り、複数形も包含する。用語「有する」、「含む」及び／又は「備える」（comprises、comprising、includes及び／真又はincluding）は、本願明細書で用いられるとき、記載される特徴、整数、ステップ、動作、要素、及び／又はコンポーネントの存在を指定するが、１又は複数の他の特徴、整数、ステップ、動作、要素、コンポーネント及び／又はそれらのグループの存在又は付加を排除しない。
【００１０】
特に定められない限り、本願明細書で用いられる全ての用語（技術的及び科学的用語を含む）は、例の関連する分野の当業者により通常理解されるものと同じ意味を有する。さらに、用語、例えば一般に使用される辞書で定められる用語は、本願明細書で特に明示的に定めない限り、関連分野の文脈でそれらの意味に従う意味を有するとして解釈されるべきである。
【００１１】
以下では、種々の例は、装置（例えば、携帯電話機、基地局）又は無線若しくはモバイル通信システムの中で使用される装置のコンポーネント（例えば、送信機、受信機）に関する。モバイル通信システムは、例えば、３ＧＰＰ（３rd  Generation  Partnership  Project）、例えばＧＳＭ（Global  System  for  Mobile  Communications）、ＥＤＧＥ（Enhanced  Data  rates  for  GSM  Evolution）、ＧＥＲＡＮ（GSM  EDGE  Radio  Access  Network）、ＨＳＰＡ（High  Speed  Packet  Access）、ＵＴＲＡＮ（Universal  Terrestrial  Radio  Access  Network）若しくはＥ−ＵＴＲＡＮ（Evolved  UTRAN）、ＬＴＥ（Long  Term  Evolution）若しくはＬＴＥ−Ａ（LTE−Advanced）により標準化されるモバイル通信システム、又は異なる標準、例えばＷＩＭＡＸ（Worldwide  Interoperability  for  Microwave  Access）ＩＥＥＥ８０２．１６又はＷＬＡＮ（Wireless  Local  Area  Network）ＩＥＥＥ８０２．１１によるモバイル通信システム、通常、ＴＤＭＡ（Time  Division  Multiple  Access）、ＦＤＭＡ（Frequency  Division  Multiple  Access）、ＯＦＤＭＡ（Orthogonal  Frequency  Division  Multiple  Access）、ＣＤＭＡ（Code  Division  Multiple  Access）、等に基づく任意のシステムのうちの１つに対応しても良い。用語、モバイル通信システム及びモバイル通信ネットワークは、同義的に使用される場合がある。
【００１２】
モバイル通信システムは、モバイル通信機と無線信号を通信するよう動作する複数の送信点又は基地局通信機を有しても良い。これらの例では、モバイル通信システムは、モバイル通信機、中継局通信機、及び基地局通信機を有しても良い。中継局通信機及び基地局通信機は、１又は複数の中央ユニット及び１又は複数のリモートユニットを有し得る。
【００１３】
モバイル通信機又はモバイル装置は、スマートフォン、携帯電話機、ユーザ機器（ＵＥ）、ラップトップ、ノートブック、パーソナルコンピュータ、ＰＤＡ（Personal  Digital  Assistant）、ＵＳＢ（Universal  Serial  Bus）スティック、タブレットコンピュータ、車、等に対応しても良い。モバイル通信機又は端末は、３ＧＰＰ用語に従うとＵＥ又はユーザとして表すこともできる。基地局通信機は、ネットワーク又はシステムの固定若しくは静止部分に置かれ得る。基地局通信機は、ＲＲＨ（remote  radio  head）、送信点、アクセスポイント、マクロセル、スモールセル、マイクロセル、ピコセル、フェムトセル、メトロセル、等に対応しても良い。用語、スモールセルは、マクロセルより小さな任意のセル、つまりマイクロセル、ピコセル、フェムトセル、又はメトロセルを表しても良い。さらに、フェムトセルは、マイクロセルよりも小さいと考えられるピコセルより小さいと考えられる。基地局通信機は、有線ネットワークの無線インタフェースであり、ＵＥ、モバイル通信機又は中継通信機への無線信号の送信及び受信を可能にする。このような無線信号は、例えば、３ＧＰＰにより又は概して上述の列挙したシステムのうちの１又は複数に従って標準化されるような無線信号に従っても良い。したがって、基地局通信機は、ＮｏｄｅＢ、ｅＮｏｄｅＢ、ＢＴＳ、アクセスポイント、等に対応しても良い。中継局通信機は、基地局通信機と移動局通信機との間の通信経路の中にある中間ネットワークノードに対応しても良い。中継局通信機は、受信した信号をモバイル通信機から基地局通信機へ、又は受信した信号を基地局通信機から移動局通信機へ、それぞれ転送しても良い。
【００１４】
モバイル通信システムは、セルラであっても良い。用語、セルは、送信点、リモートユニット、リモートヘッド、リモート無線ヘッド、基地局通信機、中継通信機、又はＮｏｄｅＢ、ｅＮｏｄｅＢによりそれぞれ提供される無線サービスのカバレッジエリアを表す。用語、セル及び基地局通信機は、同義的に用いられる場合がある。幾つかの例では、セルは、セクタに対応しても良い。例えば、セクタは、基地局通信機又はリモートユニットの周りに角度のあるセクションをカバーする特性を提供するセクタアンテナを用いて達成され得る。幾つかの例では、基地局通信機又はリモートユニットは、例えば、それぞれ１２０度（３セルの場合）、６０度（６セルの場合）のセクタをカバーする３個又は６個のセルを展開しても良い。同様に、中継通信機は、自身のカバレッジエリアの中に１又は複数のセルを確立しても良い。モバイル通信機は、少なくとも１つのセルに登録し又は関連付けされ得る。つまり、モバイル通信機は、セルに関連付けられて、専用チャネル、リンク若しくはコネクションを用いてデータがネットワークと関連付けられたセルのカバレッジエリアの中にいるモバイルとの間で交換できるようにしても良い。したがって、モバイル通信機は、中継局又は基地局通信機に直接又は間接的に登録し又は関連付けられても良い。ここで、間接的な登録又は関連付けは、１又は複数の中継通信機を通じても良い。
【００１５】
図１は、通信機１０１の中の受信機１１０のイメージ除去特性を決定するシステム１００の一例を示す。通信機１０１は、共通ローカル発振器１３０を用いて、ダウンミックス信号及びアップミックス信号を生成するために使用されるローカル発振器信号１７０を生成する（例えば、ローカル発振器信号１７０は、ダウンミックス信号を生成するために受信機１１０で、及びアップミックス信号を生成するために送信機で用いられる）。
【００１６】
システム１００は、テスト信号１５０を生成するために信号生成器１２０を有する。テスト信号１５０は、スペクトルピークを有する。つまり、テスト信号１５０の周波数スペクトルは、所与の周波数又は所与の周波数範囲において、近隣の周波数又は周波数範囲の振幅と比べて有意に増大した振幅を有する。テスト信号１５０は、受信機１１０の入力に供給される。
【００１７】
ローカル発振器１３０（受信機１１０及び通信機１０１の送信機のための共通周波数合成器）は、ローカル発振器信号１７０を受信機１１０に供給する。ローカル発振器信号１７０は、テスト信号１５０のスペクトルピークの中心周波数からのオフセットを有する周波数を有する。スペクトルピークの中心周波数は、例えば、スペクトルピークの下端カットオフ周波数及び上端カットオフ周波数の算術平均又は幾何平均として理解できる。したがって、ローカル発振器信号１７０の周波数は、スペクトルピークの中心周波数と比べて、オフセットの量だけ高く又は低くても良い。
【００１８】
受信機１１０は、ダウンミックス信号１６０を生成するために、ローカル発振器信号１７０を用いてテスト信号１５０をダウンミックスする。例えば、受信機１１０は、ローカル発振器信号１７０を用いてテスト信号１５０を中間周波数（intermediate  frequency：ＩＦ）にダウンコンバートするために１又は複数のミキサを有しても良い。幾つかの例では、ＩＦはゼロ（つまり、０ヘルツ（Ｈｚ））であっても良い。ゼロのＩＦを用いる受信機は、ゼロＩＦ受信機として知られている。幾つかの例では、ＩＦは、非ゼロ周波数（例えば、数ＭＨｚ）であっても良い。非ゼロＩＦを用いる受信機は、低ＩＦ受信機として知られている。
【００１９】
ダウンミックス信号１６０は、分析ユニット１４０に供給される。分析ユニット１４０は、第１の周波数範囲におけるダウンミックス信号１６０の信号特性の第１の値を計算する。信号特性は、例えば、ダウンミックス信号１６０の信号強度又はエネルギであっても良い。例えば、分析ユニット１４０は、ダウンミックス信号のＲＳＳＩ（Received  Signal  Strength  Indicator）を決定しても良い。第１の周波数範囲は、ダウンミックス信号１６０の所望の信号成分に対応する。例えば、所望の信号成分は、ローカル発振器信号１７０の周波数をテスト信号のスペクトルピークの中心周波数から減算することにより、受信機１１０のミキサにより生成されても良い。したがって、所望の信号成分は、受信機１１０のＩＦから所望のオフセットを有する周波数を有しても良い。
【００２０】
分析ユニットは、第２の周波数範囲におけるダウンミックス信号１６０の信号特性の第２の値を更に計算する。幾つかの例では、第１の周波数範囲及び第２の周波数範囲は、同じ幅を有しても良い。第２の周波数範囲は、ダウンミックス信号１６０の不要な成分に対応する。例えば（前段落の例を続けると）、所望の信号成分は、受信機１１０のＩＦに関して所望の信号成分の周波数オフセットの逆数である周波数オフセットを有するように、受信機１１０のミキサにより生成されても良い。つまり、所望の信号成分は、受信機１１０のＩＦに関して所望の信号成分のイメージであっても良い。
【００２１】
分析ユニット１４０は、信号特性の第１の値と信号特性の第２の値とを比較する。信号特性の第１の値及び第２の値を比較することにより、分析ユニット１４０は、受信機１１０のイメージ除去特性を決定できる。例えば、信号特性は、エネルギであっても良い。したがって、分析ユニット１４０は、第１の周波数範囲のダウンミックス信号１６０のエネルギと、第２の周波数範囲のダウンミックス信号１６０のエネルギとを比較する。幾つかの例では、分析ユニット１４０は、信号特性の第１の値と信号特性の第２の値との比を計算しても良い。比は、不要な信号成分を除去する受信機１１０の能力を表すイメージ除去比と見なされても良い。
【００２２】
信号生成器１２０は、ローカル発振器信号１７０とは独立に、テスト信号１５０を生成させても良い。特に、スペクトルピークの中心周波数は、ローカル発振器信号１７０の周波数とは独立であっても良い。したがって、テスト信号は、テスト信号１５０のダウンミックスのために使用される発振器信号１７０と独立である受信機１１０に供給されても良い。したがって、システム１００は、テスト信号１５０に依存しない受信機１１０のイメージ除去特性を決定できる。したがって、システム１００は、通信機の受信機について、イメージ除去自己診断を可能にできる。
【００２３】
信号生成器１２０によりテスト信号１５０を生成することは、イメージ成分を有しないテスト信号の生成を可能にできる。幾つかの例では、テスト信号１５０は、ローカル発振器信号１７０の周波数に関してスペクトルピークの鏡面反転（mirror-inverted）である別のスペクトルピークを削除する（有しない）。例えば、テスト信号１５０は、ローカル発振器信号１７０の周波数と比べてオフセット分だけ高い中心周波数を有する（含む）スペクトルピークを有するが、ローカル発振器信号１７０の周波数と比べて該オフセット分だけ低い周波数においてスペクトルピークを有さなくても良い。テスト信号１５０はイメージ成分を有しないので、テスト信号１５０は、共通ローカル発振器を用いる通信機の中の受信機のイメージ除去特性を決定するために用いることができる。したがって、通信機の受信機の決定されたイメージ除去特性は、テスト信号と独立であり得る。したがって、システム１００は、通信機の受信機について、イメージ除去自己診断を可能にできる。
【００２４】
幾つかの例では、ローカル発振器１３０は、テスト信号１５０のスペクトルピークの中心周波数に関して、ローカル発振器信号１７０の周波数の鏡面反転である周波数を有する第２の発振器信号１７１を更に生成しても良い。例えば、第２のローカル発振器信号１７１の周波数は、スペクトルピークの中心周波数と比べてオフセットの分だけ高くても良い。一方で、ローカル発振器信号１７０の周波数は、スペクトルピークの中心周波数と比べて該オフセットの分だけ低くても良い。つまり、ローカル発振器信号１７０及び第２のローカル発振器信号１７１は、スペクトルピークの中心周波数に関して対称である周波数を有して生成されても良い。ローカル発振器信号１７０は、ローカル発振器１３０により第１の時点で生成されても良い。一方で、第２のローカル発振器信号１７１は、ローカル発振器１３０により別の第２の時点で生成されても良い。
【００２５】
受信機１１０は、第２のダウンミックス信号１６１を生成するために、第２のローカル発振器信号１７１を用いてテスト信号１５０をダウンミックスしても良い。幾つかの例では、テスト信号１５０は、ローカル発振器信号１７０の周波数に関してスペクトルピークの鏡面反転である別のスペクトルピークを有しない、及び第２のローカル発振器信号１７１の周波数に関してスペクトルピークの鏡面反転である別のスペクトルピークを有しない。分析ユニット１４０は、第１の周波数範囲における第２のダウンミックス信号１６１の信号特性の値を更に計算しても良い。前述の例では、第１の周波数範囲及び第２の周波数範囲は同じである。したがって、分析ユニット１４０は、第１の周波数範囲のダウンミックス信号１６０の信号特性の値を、第１の周波数範囲の第２のダウンミックス信号１６１の信号特性の値と比較することにより、イメージ除去特性を決定できる。
【００２６】
ローカル発振器信号１７０及び第２のローカル発振器信号１７１を用いることにより、受信機１１０のイメージ除去特性は、単に第１の周波数範囲の信号成分を分析することにより決定できる。スペクトルピークの中心周波数に関して対称的な個別の周波数を有する２つの発振器信号の使用は、ダウンミックス信号１６０及び第２のダウンミックス信号１６１のうちの一方を、第１の周波数範囲の所望の信号成分として使用し、同時に、他方を第１の周波数範囲の不要な（イメージ）成分として使用することを可能にできる。したがって、第１の周波数範囲の両方の信号の信号特性を比較することにより、受信機１１０のイメージ除去特性は、従来の受信機のアーキテクチャのいかなる追加変更も有しないで決定できる。両方のローカル発振器信号について、個々のダウンミックス信号の信号強度又は信号エネルギは、第１の周波数範囲の中で決定されても良い。例えば、信号特性の値の比は、イメージ除去特性として、分析ユニット１４０により計算されても良い。
【００２７】
システム１００は、提案される概念の１又は複数の態様又は後述する１又は複数の例に対応する１又は複数の追加の任意の特徴を有しても良い。
【００２８】
一般的に、幾つかの例は、共通ローカル発振器を用いる通信機の内部の受信機のイメージ除去特性を決定する手段に関する。イメージ除去特性を決定する手段は、スペクトルピークを有するテスト信号を生成する手段と、スペクトルピークの中心周波数からのオフセットを有する周波数を有するローカル発振器信号を生成する手段と、を有する。受信機は、ダウンミックス信号を生成するために、ローカル発振器信号を用いてテスト信号をダウンミックスするよう構成される。イメージ除去特性を決定する手段は、ダウンミックス信号の所望の信号成分に対応する第１の周波数範囲のダウンミックス信号の信号特性の第１の値を計算し、ダウンミックス信号の不要な信号成分に対応する第２の周波数範囲のダウンミックス信号の信号特性の第２の値を計算し、及びイメージ除去特性を生成するために第１の値及び第２の値を比較する手段を更に有する。
【００２９】
幾つかの例は、共通ローカル発振器を用いる通信機の内部の受信機のイメージ除去特性を決定する手段に関する。イメージ除去特性を決定する手段は、スペクトルピークを有するテスト信号を生成する手段を有する。ローカル発振器は、スペクトルピークの中心周波数からのオフセットを有する周波数を有するローカル発振器信号を生成し、及びスペクトルピークの中心周波数に関してローカル発振器信号の周波数の鏡面反転である周波数を有する第２のローカル発振器信号を生成するよう構成される。受信機は、ダウンミックス信号を生成するためにローカル発振器信号を用いてテスト信号をダウンミックスし、第２のダウンミックス信号を生成するために第２のローカル発振器信号を用いてテスト信号をダウンミックスするよう構成される。イメージ除去特性を決定する手段は、ダウンミックス信号の所望の信号成分に対応する周波数範囲のダウンミックス信号の信号特性の値及び第２のダウンミックス信号の信号特性の値を計算し、イメージ除去特性を生成するためにダウンミックス信号の信号特性の値及び第２のダウンミックス信号の信号特性の値を計算する手段を更に有する。
【００３０】
受信機のイメージ除去特性を決定する手段は、上述の又は後述の受信機（例えば図１）のイメージ除去特性を決定するシステムにより実装されても良い。テスト信号を生成する手段は、上述の又は後述の信号生成器（例えば図１）により実装されても良い。信号特性の第１の値を計算し、信号特性の第２の値を計算し、及び第１の値と第２の値を比較する手段は、上述の又は後述の分析ユニット（例えば図１）により実装されても良い。ダウンミックス信号の信号特性の値を計算し、第２のダウンミックス信号の信号特性の値を計算し、及びダウンミックス信号の信号特性の値と第２のダウンミックス信号の信号特性の値とを比較する手段は、上述の又は後述の分析ユニット（例えば図１）により実装されても良い。
【００３１】
図２は、通信機２００の中の受信機１１０のイメージ除去特性を決定するシステムの別の例、及びテスト信号の生成の特定の例を示す。このような通信機の設計では、通信機の内部の全てのクロック信号は、基準周波数ｆｒｅｆに基づいても良い。
【００３２】
通信機２００は、基準周波数ｆｒｅｆを有する基準クロック信号２７５を生成するローカル発振器２７０を有する。基準クロック信号２７５は、周波数合成器２３０に供給される。周波数合成器２３０は、基準クロック信号２７５を用いて、周波数ｆＬＯを有するローカル発振器信号１７０を生成する。例えば、周波数合成器２３０は、基準クロック信号２７５に基づきローカル発振器信号１７０を生成するために、位相ロックドループ（Phase−locked  loop：ＰＬＬ）により制御される電圧制御発振器（Voltage−Controlled  Oscillator：ＶＣＯ）を有しても良い。
【００３３】
ローカル発振器信号１７０は、受信機１１０の入力に供給される入力信号（ＲＸＩＮ）に基づきダウンミックス信号１６０（ＲＸＯＵＴ）を生成するために、受信機１１０により使用される。受信機１１０は、入力信号を増幅するために第１の増幅器１１１を有する。さらに、受信機１１０は、増幅された入力信号をＩＦを有する信号にダウンミックスするミキサ１１２を有する。ＩＦを有する信号は、ダウンミックス信号１６０を生成するために第２の増幅器１１３に供給される。
【００３４】
ダウンミックス信号１６０は、処理ユニット２４０に供給される。（分析ユニットのような）処理ユニット２４０は、所与の周波数範囲について、ダウンミックス信号のＲＳＳＩを決定する。
【００３５】
基準クロック信号２７５は、周波数逓倍器２２０に更に供給される。（信号生成器のような）周波数逓倍器２２０は、入力された基準クロック信号２７５の周波数ｆｒｅｆの倍数である中心周波数を有するスペクトルピークを有するテスト信号１５０を生成する。例えば、テスト信号１５０は、ｎ＊ｆｒｅｆ（ｎは整数）の中心周波数を有するスペクトルピークを有する。テスト信号１５０は、高調波、つまり、．．．，（ｎ−１）＊ｆｒｅｆ，．．．，（ｎ＋１）＊ｆｒｅｆ，．．．，において中心周波数を有するスペクトルピークを更に有しても良い。つまり、周波数逓倍器２２０は、通信機２００のローカル発振器のために使用される、つまり受信機１１０のローカル発振器のために使用される基準信号の周波数を逓倍することにより、テスト信号１５０を生成する。
【００３６】
テスト信号１５０は、受信機１１０のイメージ除去特性を決定するために、受信機１１０に入力として供給される。図２に示す通信機２００は、半導体基板（例えば、半導体ダイ又は半導体チップ）に実装されても良い。幾つかの例では、テスト信号１５０は、半導体基板上の接続を介して（例えば、半導体チップの導電経路を介して）受信機１１０に供給されても良い。幾つかの例では、テスト信号１５０は、外部接続、つまり半導体チップの外部にある接続を介して、受信機１１０に供給されても良い。例えば、テスト信号１５０は、通信機の出力信号（ＴＸＯＵＴ）として、通信機の出力２８０に供給されても良い。出力２８０は、（例えば、ワイヤ線を介して）通信機の入力２９０に結合されても良い。したがって、テスト信号１５０は、通信機の入力２９０を介して受信機１１０に供給される。
【００３７】
受信機１１０のイメージ除去特性を決定するために、ダウンミックス信号１６０のＲＳＳＩは、第１の周波数範囲について及び第２の周波数範囲について、それぞれ、処理ユニット２４０により決定されても良い。処理ユニット２４０は、両方のＲＳＳＩ値を比較することにより、イメージ除去特性を決定しても良い。代替で、周波数合成器２３０は、（ローカル発振器信号１７０の周波数に関してテスト信号１５０のスペクトルピークの中心周波数の鏡面反転である周波数を有する）第２の発振器信号を生成しても良い。したがって、受信機は、第２の発振器信号の第２のダウンミックス信号を生成できる。処理ユニット２４０は、共通（第１の）周波数範囲の２つのダウンミックス信号のＲＳＳＩを決定し、及び２つのＲＳＳＩ値を比較することによりイメージ除去特性を決定できる。
【００３８】
言い換えると、周波数逓倍器は、基準クロック又は任意の他の適切なデジタルクロックの逓倍である無線周波数（ＲＦ）テスト信号を生成するために使用されても良い。任意のクロック信号（例えば、図２に示す基準クロック）は、周波数逓倍器に供給されても良い。使用される高調波（テスト信号として提供される）のＲＦ周波数は、受信機のローカル発振器周波数とは独立であっても良い。
【００３９】
図２に示すシステムは、提案される概念の１又は複数の態様又は上述若しくは後述の１又は複数の例（例えば図１）に対応する１又は複数の追加の任意の特徴を有しても良い。
【００４０】
図３は、図２に示す例において使用され得るときの、周波数逓倍器３００の一例を示す。信号生成器３００は、基準クロック発振器２７０に接続される。基準クロック信号２７５（基準信号）は、周波数逓倍器３００のインバータ３１０に供給される。インバータ３１０は、基準クロック信号２７５により示される論理レベルを反転し、反転基準クロック信号をノード３１０に供給しても良い。したがって、基準信号に関連する信号は、ノード３２０に供給される。
【００４１】
偶数個の直列接続された第１のインバータ３３０−１、．．．、３３０−８を有する第１の信号経路は、ノード３１０及びＮＡＮＤゲート３５０の第１の入力に接続される。第１の信号経路は、図３に示すような８個の第１のインバータ３３０−１、．．．、３３０−８を有する実装に限定されない。第１の信号経路は、任意の偶数個のインバータを有しても良い。
【００４２】
第２のインバータ３４０を有する第２の並列信号経路は、ノード及びＮＡＮＤゲート３５０の第２の入力に接続される。第２の信号経路は、図３に示すような１個の第２のインバータ３４０を有する実装に限定されない。第２の信号経路は、任意の非偶数個のインバータを有しても良い。
【００４３】
ＮＡＮＤゲート３５０は、その出力で、基準クロック信号２７５の周波数の逓倍である周波数におけるスペクトル成分を有する信号を提供する。つまり、ＮＡＮＤゲート３５０は、基準クロック信号２７５の高調波を含む信号を提供しても良い。信号生成器３００は、ＮＡＮＤゲート３５０により提供される信号を反転するために、別のインバータ３６０を有する。反転された信号は、テスト信号１５０として提供されても良い。
【００４４】
周波数逓倍器３００は、提案される概念の１又は複数の態様又は前述若しくは後述の１又は複数の例に対応する１又は複数の追加の任意の特徴を有しても良い。
【００４５】
図４（ａ）は、周波数逓倍器（例えば、図３に示す周波数逓倍器３００）の入力信号４００の一例を示す。例えば、図４（ａ）は、基準クロック信号２７５の一例を示しても良い。入力信号４００は、約１２ナノ秒（ｎｓ）の期間を有する等距離方形パルスを有する。しかしながら、周波数逓倍器の入力信号は、任意の期間を有するパルスを有しても良い。
【００４６】
図４（ｂ）は、周波数逓倍器（例えば、図３に示す周波数逓倍器３００）により提供される出力信号４１０の一例を示す。例えば、出力信号４１０は、テスト信号１５０として提供されても良い。出力信号４１０は、図４（ａ）に示す入力信号４００に基づく。出力信号４１０は、等距離方形パルスを有する。出力信号４１０のパルスの振幅は、実質的に、入力信号４００のパルスの振幅と等しい。入力信号４００のパルスの期間と比べて、出力信号４１０のパルスの期間は、有意に減少している。言い換えると、出力信号４１０は、基準クロック信号（例えば基準クロック信号２７５）によりクロック供給される狭いパルスを有し、及びほぼ等しい振幅を有する基準クロックの全ての高調波を含んでも良い。高調波の振幅は、パルス長及び供給電圧に依存しても良い。
【００４７】
図４（ｃ）は、図４（ｂ）に示す出力信号４１０のスペクトル４２０の一例を示す。スペクトル４２０は、出力信号４１０が等距離スペクトルピーク４２０−１、．．．、４２０−６を有することを示す。スペクトルピーク４２０−１、．．．、４２０−６は、約５０ＭＨｚだけ離れている。スペクトルピーク４２０−１、．．．、４２０−６の振幅は、近隣周波数又は周波数範囲においてスペクトル成分の振幅まで有意に増大される。出力信号４１０は、受信機のイメージ除去特性を決定するために使用されても良い。特に、受信機においてダウンミックスのために使用されるローカル発振器信号の周波数は、スペクトルピークの中心周波数と独立に選択されても良い。したがって、出力信号４１０は、イメージ成分を含まないように、提供されても良い。例えば、出力信号４１０は、隣接スペクトルピーク（例えば、スペクトルピーク４２０−３及び４２０−４）がローカル発振器信号の周波数に関して等距離周波数において設けられないように、提供されても良い。言い換えると、出力信号４１０は、隣接スペクトルピークがローカル発振器信号の周波数に関して対称的に提供されないように、提供されても良い。
【００４８】
図５は、ＧＮＳＳ（Global  Navigation  Satellite  System）受信機５１０のイメージ除去特性を決定するシステム５００の一例を示す。ＧＮＳＳ受信機１１０は、ダウンミックス信号５６０を生成するために使用されるローカル発振器信号５７０を生成するために、ローカル発振器５３０を有する（例えば、ＧＮＳＳ受信機５１０は、ローカル発振器信号５７０を用いて、入力信号をダウンミックス信号５６０にダウンコンバートするために、ミキサを有する）。ＧＮＳＳ受信機５１０のシステム５００は、通信機１０１の受信機１１０のシステム１００と同様に構成されても良い。
【００４９】
システム５００は、テスト信号５５０を生成するために信号生成器５２０を有する。テスト信号５５０はスペクトルピークを有する。テスト信号５５０は、ＧＮＳＳ受信機５１０の入力に供給される。ローカル発振器５３０は、ローカル発振器信号５７０をＧＮＳＳ受信機５１０に供給する。ローカル発振器信号５７０は、スペクトルピークの中心周波数からのオフセットを有する周波数を有する。ＧＮＳＳ受信機５１０は、ダウンミックス信号５６０を生成するために、ローカル発振器信号５７０を用いてテスト信号５５０をダウンミックスする。例えば、ＧＮＳＳ受信機５１０は、テスト信号５５０をダウンコンバートするために１又は複数のミキサを有しても良い。幾つかの例では、ＧＮＳＳ受信機５１０は、ゼロＩＦ受信機であっても良い。幾つかの例では、ＧＮＳＳ受信機５１０は、低ＩＦ受信機であっても良い。
【００５０】
ダウンミックス信号５６０は、分析ユニット５４０に供給される。分析ユニット５４０は、第１の周波数範囲におけるダウンミックス信号１６０の信号特性の第１の値を計算する。第１の周波数範囲は、ダウンミックス信号５６０の所望の信号成分に対応する。分析ユニットは、第２の周波数範囲におけるダウンミックス信号５６０の信号特性の第２の値を更に計算する。第２の周波数範囲は、ダウンミックス信号５６０の不要な成分に対応する。
【００５１】
分析ユニット５４０は、信号特性の第１の値と信号特性の第２の値とを比較する。信号特性の第１の値及び第２の値を比較することにより、分析ユニット５４０は、ＧＮＳＳ受信機５１０のイメージ除去特性を決定できる。例えば、信号特性は、ダウンミックス信号５６０のエネルギであっても良い。したがって、分析ユニット５４０は、第１の周波数範囲のダウンミックス信号５６０のエネルギと、第２の周波数範囲のダウンミックス信号５６０のエネルギとを比較する。幾つかの例では、分析ユニット５４０は、信号特性の第１の値と信号特性の第２の値との比を計算しても良い。比は、不要な信号成分を除去するＧＮＳＳ受信機５１０の能力を表すイメージ除去比と見なされても良い。
【００５２】
信号生成器５２０は、ローカル発振器信号５７０とは独立に、テスト信号５５０を生成させても良い。特に、スペクトルピークの中心周波数は、ローカル発振器信号５７０の周波数とは独立であっても良い。したがって、テスト信号は、テスト信号５５０のダウンミックスのために使用される発振器信号５７０と独立であるＧＮＳＳ受信機５１０に供給されても良い。したがって、システム５５０は、テスト信号５５０に依存しないＧＮＳＳ受信機５１０のイメージ除去特性を決定できる。したがって、システム５００は、ＧＮＳＳ受信機について、イメージ除去自己診断を可能にできる。
【００５３】
信号生成器５２０によりテスト信号５５０を生成することは、イメージ成分を有しないテスト信号の生成を可能にできる。幾つかの例では、テスト信号５５０は、ローカル発振器信号５７０の周波数に関してスペクトルピークの鏡面反転である別のスペクトルピークを削除する（有しない）。例えば、テスト信号５５０は、ローカル発振器信号５７０の周波数と比べてオフセット分だけ高い中心周波数を有するスペクトルピークを有するが、ローカル発振器信号５７０の周波数と比べて該オフセット分だけ低い周波数においてスペクトルピークを有さなくても良い。テスト信号５５０はイメージ成分を有しないので、テスト信号５５０は、ＧＮＳＳ受信機のイメージ除去特性を決定するために用いることができる。したがって、ＧＮＳＳ受信機の決定されたイメージ除去特性は、テスト信号と独立であり得る。したがって、システム１００は、ＧＮＳＳ受信機について、イメージ除去自己診断を可能にできる。
【００５４】
図１に示すシステム１００と同様に、幾つかの例では、ローカル発振器５３０は、テスト信号５５０のスペクトルピークの中心周波数に関して、ローカル発振器信号５７０の周波数の鏡面反転である周波数を有する第２の発振器信号５７１を更に生成しても良い。ローカル発振器信号５７０は、ローカル発振器５３０により第１の時点で生成されても良い。一方で、第２のローカル発振器信号５７１は、ローカル発振器５３０により別の第２の時点で生成されても良い。
【００５５】
ＧＮＳＳ受信機５１０は、第２のダウンミックス信号５６１を生成するために、第２のローカル発振器信号５７１を用いてテスト信号５５０をダウンミックスしても良い。分析ユニット５４０は、第１の周波数範囲における第２のダウンミックス信号５６１の信号特性の値を計算しても良い（つまり、第１の周波数範囲と第２の周波数範囲は同じである）。したがって、分析ユニット５４０は、第１の周波数範囲のダウンミックス信号５６０の信号特性の値を、第１の周波数範囲の第２のダウンミックス信号５６１の信号特性の値と比較することにより、イメージ除去特性を計算できる。
【００５６】
ローカル発振器信号５７０及び第２のローカル発振器信号５７１を使用することにより、ＧＮＳＳ受信機５１０のイメージ除去特性は、単に第１の周波数範囲における信号成分を分析することにより決定できる。スペクトルピークの中心周波数に関して対称的な個別の周波数を有する２つの発振器信号の使用は、ダウンミックス信号５６０及び第２のダウンミックス信号５６１のうちの一方を、第１の周波数範囲の所望の信号成分として使用し、同時に、他方を第１の周波数範囲の不要な（イメージ）成分として使用することを可能にできる。したがって、第１の周波数範囲の両方の信号の信号特性を比較することにより、ＧＮＳＳ受信機５１０のイメージ除去特性は、従来のＧＮＳＳ受信機のアーキテクチャのいかなる追加変更も有しないで決定できる。両方のローカル発振器信号について、個々のダウンミックス信号の信号強度又は信号エネルギは、第１の周波数範囲の中で計算されても良い。例えば、信号特性の値の比は、イメージ除去特性として、分析ユニット５４０により決定されても良い。
【００５７】
システム５００は、提案される概念の１又は複数の態様又は上述若しくは後述の１又は複数の例（例えば図１乃至４）に対応する１又は複数の追加の任意の特徴を有しても良い。
【００５８】
概して、幾つかの例は、ＧＮＳＳ（Global  Navigation  Satellite  System）受信機のイメージ除去特性を決定する手段に関する。イメージ除去特性を決定する手段は、スペクトルピークを有するテスト信号を生成する手段と、スペクトルピークの中心周波数からのオフセットを有する周波数を有するローカル発振器信号を生成する手段と、を有する。受信機は、ダウンミックス信号を生成するために、ローカル発振器信号を用いてテスト信号をダウンミックスするよう構成される。イメージ除去特性を決定する手段は、ダウンミックス信号の所望の信号成分に対応する第１の周波数範囲のダウンミックス信号の信号特性の第１の値を計算し、ダウンミックス信号の不要な信号成分に対応する第２の周波数範囲のダウンミックス信号の信号特性の第２の値を計算し、及びイメージ除去特性を生成するために第１の値及び第２の値を比較する手段を更に有する。
【００５９】
幾つかの例は、ＧＮＳＳ（Global  Navigation  Satellite  System）受信機のイメージ除去特性を決定する手段に関する。イメージ除去特性を決定する手段は、スペクトルピークを有するテスト信号を生成する手段を有する。ローカル発振器は、スペクトルピークの中心周波数からのオフセットを有する周波数を有するローカル発振器信号を生成し、及びスペクトルピークの中心周波数に関してローカル発振器信号の周波数の鏡面反転である周波数を有する第２のローカル発振器信号を生成するよう構成される。受信機は、ダウンミックス信号を生成するためにローカル発振器信号を用いてテスト信号をダウンミックスし、第２のダウンミックス信号を生成するために第２のローカル発振器信号を用いてテスト信号をダウンミックスするよう構成される。イメージ除去特性を決定する手段は、ダウンミックス信号の所望の信号成分に対応する周波数範囲のダウンミックス信号の信号特性の値及び第２のダウンミックス信号の信号特性の値を計算し、イメージ除去特性を生成するためにダウンミックス信号の信号特性の値及び第２のダウンミックス信号の信号特性の値を計算する手段を更に有する。
【００６０】
ＧＮＳＳ受信機のイメージ除去特性を決定する手段は、上述の又は後述のＧＮＳＳ受信機（例えば図５）のイメージ除去特性を決定するシステムにより実装されても良い。テスト信号を生成する手段は、上述の又は後述の信号生成器（例えば図５）により実装されても良い。ローカル発振器信号を生成する手段は、上述の又は後述のローカル発振器（例えば図５）により実装されても良い。信号特性の第１の値を計算し、信号特性の第２の値を計算し、及び第１の値と第２の値を比較する手段は、上述の又は後述の分析ユニット（例えば図５）により実装されても良い。ダウンミックス信号の信号特性の値を計算し、第２のダウンミックス信号の信号特性の値を計算し、及びダウンミックス信号の信号特性の値と第２のダウンミックス信号の信号特性の値とを比較する手段は、上述の又は後述の分析ユニット（例えば図５）により実装されても良い。
【００６１】
図６は、本願明細書に記載の例（例えば、テスト信号１５０又はテスト信号５５０）によるテスト信号６５０のスペクトルの一例を示す。テスト信号６５０の例は、周波数（ｎ−１）＊ｆｒｅｆ、ｎ＊ｆｒｅｆ、（ｎ＋１）＊ｆｒｅｆにおいて少なくとも３個のスペクトルピークを有する。つまり、テスト信号６５０は、複数のスペクトルピークを有しても良い。例えば、テスト信号６５０は、図２に示す周波数逓倍器２２０により生成されても良い。
【００６２】
周波数ｆＬＯ，ＲＸを有するローカル発振器信号６７０は、ダウンミックス信号６６０を生成するために（例えばミキサを有する）受信機の中で使用されても良い。ダウンミックス信号６６０は、周波数（ｎ−１）＊ｆｒｅｆ−ｆＬＯ，ＲＸ、ｎ＊ｆｒｅｆ−ｆＬＯ，ＲＸ、及び（ｎ＋１）＊ｆｒｅｆ−ｆＬＯ，ＲＸにおいて少なくとも３個のスペクトルピークを有する。
【００６３】
周波数ｆｗａｎｔｅｄ＝ｎ＊ｆｒｅｆ−ｆＬＯ，ＲＸにおけるスペクトルピークは、ダウンコンバートされた信号６６０の所望の信号成分の一例であっても良い。周波数ｎ＊ｆｒｅｆにおけるスペクトルピークをダウンミックスすることにより、受信機（例えば、受信機のミキサ）は、周波数ｆｉｍａｇｅにおけるダウンミックス信号６６０の中の信号成分を更に生成しても良い。周波数ｆｉｍａｇｅは、受信機のｆＩＦにおけるＩＦ（例えば、ゼロＩＦ又は低ＩＦ）に関して所望のイメージ成分の周波数ｆｗａｎｔｅｄの鏡面反転である。
【００６４】
図６から分かるように、テスト信号６５０は、ローカル発振器信号の周波数ｆＬＯ，ＲＸに関してｎ＊ｆｒｅｆにあるスペクトルピークと対称的なスペクトルピークを有しない。したがって、周波数ｆｉｍａｇｅにおけるイメージ信号成分は、受信機の特性に関連するが、テスト信号６５０には関連しない。したがって、受信機のイメージ除去特性は、テスト信号による制限無しに決定され得る。
【００６５】
代替で、周波数ｆＬＯ，ＲＸ２を有する第２のローカル発振器信号は、第２のダウンコンバートされた信号を提供するために受信機の中で用いられても良い。第２のローカル発振器信号６７１の周波数ｆＬＯ，ＲＸ２は、ローカル発振器信号６７０と比べて、ｎ＊ｆｒｅｆにあるスペクトルピークからの鏡面反転オフセットを有する。したがって、受信機におけるスペクトルピークのダウンミックスは、ｎ＊ｆｒｅｆ−ｆＬＯ，ＲＸ２＝ｆｉｍａｇｅにおける所望のスペクトルピーク及びｆｗａｎｔｅｄにおける不要成分を提供する。ｆｗａｎｔｅｄにおけるダウンコンバートされた信号６６０の所望の信号成分の信号特性（例えば信号強度又は信号エネルギ）の値、及びｆｗａｎｔｅｄにおける第２のダウンコンバートされた信号の不要信号成分の信号特性の値を比較することにより、ｆｗａｎｔｅｄにおける受信機のイメージ除去特性が決定され得る。例えば、信号特性の値の比が計算されても良い。
【００６６】
言い換えると、ローカル発振器周波数の適切な設定により、高調波のうちの１つは、受信機（ＲＸ）帯域幅の内部に存在することができ、分析ユニットにより（例えば、図２に示すようなベースバンドＲＳＳＩ検出により）検出され得る。使用される高調波のイメージ周波数には信号成分が存在しなくても良い。したがって、イメージ除去は、テスト信号による制限無しに決定され得る。例えば、イメージ除去は、受信機のローカル発振器周波数をｆＬＯ，ＲＸ１＝ｎ＊ｆＲＥＦ−ｆｗａｎｔｅｄに、及びｆＬＯ，ＲＸ２＝ｎ＊ｆＲＥＦ−ｆｗａｎｔｅｄに設定することにより測定され得る。２つの設定により、信号強度はｆｗａｎｔｅｄにおいて測定され得る。２つの信号強度の比は、受信機のイメージ除去であり得る。
【００６７】
提案の概念の１又は複数の態様に又は上述の１又は複数の例によるイメージ除去特性決定を用いる実装の一例は、図７に示される。図７は、本願明細書に記載の一例による通信機１０１の中の受信機１１０のイメージ除去特性を決定するシステム１００及び／又は本願明細書に記載の一例によるＧＮＳＳ受信機５１０のイメージ除去特性を決定するシステム５００を有するモバイル通信装置の一例を概略的に示す。モバイル通信装置７００のアンテナ要素７１０は、通信機１０１及び／又はＧＮＳＳ（Global  Navigation  Satellite  System）受信機５１０に結合されても良い。この目的のために、モバイル通信装置７００は、通信機の受信機及び／又はＧＮＳＳ受信機のイメージ除去自己診断を可能にするよう提供され得る。例えば、優れたイメージ除去を要求するＧＳＭ技術を用いるモバイル通信装置７００では、受信機の設定の再調整の必要性を検出するために、受信機１１０のイメージ除去特性は、その製品寿命の間に繰り返し決定されても良い。したがって、モバイル通信装置７００の信頼できるＧＳＭ機能を保証するために必要な場合には、受信機１１０のイメージ除去能力は、再調整されても良い。
【００６８】
図８は、提案の概念の１又は複数の態様に又は上述の１又は複数の例によるイメージ除去特性決定を用いる実装の一例を示す。図８は、本願明細書に記載の一例によるＧＮＳＳ受信機５１０のイメージ除去特性を決定するシステム５００を有するナビゲーション装置８００の一例を概略的に示す。ナビゲーション装置８００のアンテナ要素８１０は、ＧＮＳＳ（Global  Navigation  Satellite  System）受信機５１０に結合されても良い。ナビゲーションシステムは、例えばディスプレイ８３０（例えば、タッチディスプレイ）又は入力ボタン（図示しない）のような更なる任意的な要素を有しても良い。この目的のために、ナビゲーション装置は、ＧＮＳＳ受信機５１０のイメージ除去自己診断を可能にするよう提供され得る。
【００６９】
図９は、共通ローカル発振器を用いる通信機の内部にある受信機のイメージ除去特性を決定する方法９００の一例を、フローチャートを用いて示す。方法は、スペクトルピークを有するテスト信号を生成するステップ９０２を有する。さらに、方法は、スペクトルピークの中心周波数からのオフセットを有する周波数を有するローカル発振器信号を生成するステップ９０４を有する。方法は、ダウンミックス信号を生成するために、ローカル発振器信号を用いて、受信機においてテスト信号をダウンミックスするステップ９０６を有する。さらに、方法は、ダウンミックス信号の所望の信号成分に対応する第１の周波数範囲におけるダウンミックス信号の信号特性の第１の値を計算するステップ９０８と、ダウンミックス信号の不要な信号成分に対応する第２の周波数範囲におけるダウンミックス信号の信号特性の第２の値を計算するステップ９１０と、を有する。方法は、イメージ除去特性を生成するために、第１の値と第２の値を比較するステップ９１２を更に有する。
【００７０】
方法の更なる詳細及び態様は、提案する概念又は上述若しくは後述の１又は複数の例（例えば、図１〜８）と関連して、説明される。方法は、提案される概念の１又は複数の態様又は前述若しくは後述の１又は複数の例に対応する１又は複数の追加の任意の特徴を有しても良い。
【００７１】
図１０は、共通ローカル発振器を用いる通信機の内部にある受信機のイメージ除去特性を決定する別の方法１０００の一例を、フローチャートを用いて示す。方法は、スペクトルピークを有するテスト信号を生成するステップ１００２を有する。さらに、方法は、スペクトルピークの中心周波数からのオフセットを有する周波数を有するローカル発振器信号と、スペクトルピークの中心周波数に関してローカル発振器信号の鏡面反転である周波数を有する第２のローカル発振器信号と、を生成するステップ１００４を有する。方法は、ダウンミックス信号を生成するためにローカル発振器信号を用いて受信機においてテスト信号をダウンミックスするステップ１００６と、第２のダウンミックス信号を生成するために第２のローカル発振器信号を用いて受信機においてテスト信号をダウンミックスするステップ１００８と、を有する。さらに、方法は、ダウンミックス信号の所望の信号成分に対応する周波数範囲におけるダウンミックス信号の信号特性の値を計算するステップ１０１０と、該周波数範囲における第２のダウンミックス信号の信号特性の値を計算するステップ１０１２と、を有する。方法は、イメージ除去特性を生成するために、ダウンミックス信号の信号特性の値と、第２のダウンミックス信号の信号特性の値と、を比較するステップ１０１４を更に有する。
【００７２】
方法の更なる詳細及び態様は、提案する概念又は上述若しくは後述の１又は複数の例（例えば、図１〜８）と関連して、説明される。方法は、提案される概念の１又は複数の態様又は前述若しくは後述の１又は複数の例に対応する１又は複数の追加の任意の特徴を有しても良い。
【００７３】
図１１は、ＧＮＳＳ（Global  Navigation  Satellite  System）受信機のイメージ除去特性を決定する方法１１００の一例を、フローチャートにより示す。方法は、スペクトルピークを有するテスト信号を生成するステップ１１０２を有する。さらに、方法は、スペクトルピークの中心周波数からのオフセットを有する周波数を有するローカル発振器信号を生成するステップ１１０４を有する。方法は、ダウンミックス信号を生成するために、ローカル発振器信号を用いて、受信機においてテスト信号をダウンミックスするステップ１１０６を有する。さらに、方法は、ダウンミックス信号の所望の信号成分に対応する第１の周波数範囲におけるダウンミックス信号の信号特性の第１の値を計算するステップ１１０８と、ダウンミックス信号の不要な信号成分に対応する第２の周波数範囲におけるダウンミックス信号の信号特性の第２の値を計算するステップ１１１０と、を有する。方法は、イメージ除去特性を生成するために、第１の値と第２の値を比較するステップ１１１２を更に有する。
【００７４】
方法の更なる詳細及び態様は、提案する概念又は上述若しくは後述の１又は複数の例（例えば、図１〜８）と関連して、説明される。方法は、提案される概念の１又は複数の態様又は前述若しくは後述の１又は複数の例に対応する１又は複数の追加の任意の特徴を有しても良い。
【００７５】
図１２は、ＧＮＳＳ（Global  Navigation  Satellite  System）受信機のイメージ除去特性を決定する別の方法１２００の一例を、フローチャートにより示す。方法は、スペクトルピークを有するテスト信号を生成するステップ１２０２を有する。さらに、方法は、スペクトルピークの中心周波数からのオフセットを有する周波数を有するローカル発振器信号と、スペクトルピークの中心周波数に関してローカル発振器信号の鏡面反転である周波数を有する第２のローカル発振器信号と、を生成するステップ１２０４を有する。方法は、ダウンミックス信号を生成するためにローカル発振器信号を用いて受信機においてテスト信号をダウンミックスするステップ１２０６と、第２のダウンミックス信号を生成するために第２のローカル発振器信号を用いて受信機においてテスト信号をダウンミックスするステップ１２０８と、を有する。さらに、方法は、ダウンミックス信号の所望の信号成分に対応する周波数範囲におけるダウンミックス信号の信号特性の値を計算するステップ１２１０と、該周波数範囲における第２のダウンミックス信号の信号特性の値を計算するステップ１２１２と、を有する。方法は、イメージ除去特性を生成するために、ダウンミックス信号の信号特性の値と、第２のダウンミックス信号の信号特性の値と、を比較するステップ１２１４を更に有する。
【００７６】
方法の更なる詳細及び態様は、提案する概念又は上述の１又は複数の例（例えば、図１〜８）と関連して、説明される。方法は、提案される概念の１又は複数の態様又は前述の１又は複数の例に対応する１又は複数の追加の任意の特徴を有しても良い。
【００７７】
本願明細書に記載のような例は、以下に纏められる。
【００７８】
例１は、共通ローカル発振器を用いる通信機の内部の受信機のイメージ除去特性を決定する方法であって、スペクトルピークを有するテスト信号を生成するステップと、前記スペクトルピークの中心周波数からのオフセットを有する周波数を有するローカル発振器信号を生成するステップと、ダウンミックス信号を生成するために、前記ローカル発振器信号を用いて前記受信機において前記テスト信号をダウンミックスするステップと、前記ダウンミックス信号の所望の信号成分に対応する第１の周波数範囲における前記ダウンミックス信号の信号特性の第１の値を計算するステップと、前記ダウンミックス信号の不要な信号成分に対応する第２の周波数範囲における前記ダウンミックス信号の前記信号特性の第２の値を計算するステップと、前記イメージ除去特性を生成するために、前記第１の値及び前記第２の値を比較するステップと、を有する方法である。
【００７９】
例２では、例１の方法において、前記第１の周波数範囲の中心周波数は、中間周波数からのオフセットを有し、前記第２の周波数範囲は、前記中間周波数に関して前記第１の周波数範囲の鏡面反転である。
【００８０】
例３では、例２の方法において、中間周波数はゼロである。
【００８１】
例４では、例１乃至３のいずれか一項に記載の方法において、前記テスト信号は、前記ローカル発振器信号の周波数に関して前記スペクトルピークの鏡面反転である別のスペクトルピークを削除する。
【００８２】
例５では、例４の記載の方法において、前記テスト信号は、複数の等距離スペクトルピークを有する。
【００８３】
例６では、例１乃至５のいずれか一項に記載の方法において、前記信号特性の前記第１の値は、前記第１の周波数範囲における前記ダウンミックス信号のエネルギに関連し、前記信号特性の前記第２の値は、前記第２の周波数範囲における前記ダウンミックス信号のエネルギに関連する。
【００８４】
例７では、例１乃至６のいずれか一項に記載の方法において、前記信号特性の前記第１の値及び前記信号特性の前記第２の値を比較するステップは、前記信号特性の前記第１の値と前記信号特性の前記第２の値との比を計算するステップを有する。
【００８５】
例８は、共通ローカル発振器を用いる通信機の内部の受信機のイメージ除去特性を決定する方法であって、スペクトルピークを有するテスト信号を生成するステップであって、ローカル発振器信号は、前記スペクトルピークの中心周波数からのオフセットを有する周波数を有し、第２のローカル発振器信号は、前記スペクトルピークの前記中心周波数に関して前記ローカル発振器信号の鏡面反転である周波数を有する、ステップと、ダウンミックス信号を生成するために前記ローカル発振器信号を用いて前記受信機において前記テスト信号をダウンミックスし、及び第２のダウンミックス信号を生成するために前記第２のローカル発振器信号を用いて前記受信機において前記テスト信号をダウンミックスするステップと、前記ダウンミックス信号の信号特性の値と前記ダウンミックス信号の所望の信号成分に対応する周波数範囲における前記第２のダウンミックス信号の前記信号特性の値とを計算するステップと、前記イメージ除去特性を生成するために、前記ダウンミックス信号の前記信号特性の前記値と前記第２のダウンミックス信号の前記信号特性の前記値とを比較するステップと、を有する方法である。
【００８６】
例９では、例８に記載の方法において、前記テスト信号は、前記ローカル発振器信号の周波数に関して前記スペクトルピークの鏡面反転である別のスペクトルピークを削除し、前記テスト信号は、第２のローカル発振器信号の周波数に関して前記スペクトルピークの鏡面反転である別のスペクトルピークを有しない。
【００８７】
例１０では、例９の記載の方法において、前記テスト信号は、複数の等距離スペクトルピークを有する。
【００８８】
例１１では、例８乃至１０のいずれか一項に記載の方法において、前記ダウンミックス信号の前記信号特性の前記値は、前記周波数範囲における前記ダウンミックス信号のエネルギに関連し、前記第２のダウンミックス信号の前記信号特性の前記値は、前記周波数範囲における前記第２のダウンミックス信号のエネルギに関連する。
【００８９】
例１２では、例８乃至１１のいずれか一項に記載の方法において、前記ダウンミックス信号の前記信号特性の前記値と前記第２のダウンミックス信号の前記信号特性の前記値とを比較するステップは、前記ダウンミックス信号の前記信号特性の前記値と前記第２のダウンミックス信号の前記信号特性の前記値との比を計算するステップを有する。
【００９０】
例１３は、ＧＮＳＳ（Global  Navigation  Satellite  System）受信機のイメージ除去特性を決定する方法であって、スペクトルピークを有するテスト信号を生成するステップと、前記スペクトルピークの中心周波数からのオフセットを有する周波数を有するローカル発振器信号を生成するステップと、ダウンミックス信号を生成するために、前記受信機において前記テスト信号をダウンミックスするステップと、前記ダウンミックス信号の所望の信号成分に対応する第１の周波数範囲における前記ダウンミックス信号の信号特性の第１の値を計算するステップと、前記ダウンミックス信号の不要な信号成分に対応する第２の周波数範囲における前記ダウンミックス信号の前記信号特性の第２の値を計算するステップと、前記イメージ除去特性を生成するために、前記第１の値及び前記第２の値を比較するステップと、を有する方法である。
【００９１】
例１４では、例１３の方法において、前記第１の周波数範囲の中心周波数は、中間周波数からのオフセットを有し、前記第２の周波数範囲は、前記中間周波数に関して前記第１の周波数範囲の鏡面反転である。
【００９２】
例１５では、例１４の方法において、中間周波数はゼロである。
【００９３】
例１６では、例１３乃至１５のいずれか一項に記載の方法において、前記テスト信号は、前記ローカル発振器信号の周波数に関して前記スペクトルピークの鏡面反転である別のスペクトルピークを削除する。
【００９４】
例１７では、例１６の記載の方法において、前記テスト信号は、複数の等距離スペクトルピークを有する。
【００９５】
例１８では、例１３乃至１７のいずれか一項に記載の方法において、前記信号特性の前記第１の値は、前記第１の周波数範囲における前記ダウンミックス信号のエネルギに関連し、前記信号特性の前記第２の値は、前記第２の周波数範囲における前記ダウンミックス信号のエネルギに関連する。
【００９６】
例１９では、例１３乃至１８のいずれか一項に記載の方法において、前記信号特性の前記第１の値及び前記信号特性の前記第２の値を比較するステップは、前記信号特性の前記第１の値と前記信号特性の前記第２の値との比を計算するステップを有する。
【００９７】
例２０は、ＧＮＳＳ（Global  Navigation  Satellite  System）受信機のイメージ除去特性を決定する方法であって、スペクトルピークを有するテスト信号を生成するステップであって、ローカル発振器信号は、前記スペクトルピークの中心周波数からのオフセットを有する周波数を有し、第２のローカル発振器信号は、前記スペクトルピークの前記中心周波数に関して前記ローカル発振器信号の鏡面反転である周波数を有する、ステップと、ダウンミックス信号を生成するために前記ローカル発振器信号を用いて前記受信機において前記テスト信号をダウンミックスし、及び第２のダウンミックス信号を生成するために前記第２のローカル発振器信号を用いて前記受信機において前記テスト信号をダウンミックスするステップと、前記ダウンミックス信号の信号特性の値と前記ダウンミックス信号の所望の信号成分に対応する周波数範囲における前記第２のダウンミックス信号の前記信号特性の値とを計算するステップと、前記イメージ除去特性を生成するために、前記ダウンミックス信号の前記信号特性の前記値と前記第２のダウンミックス信号の前記信号特性の前記値とを比較するステップと、を有する方法である。
【００９８】
例２１では、例２０に記載の方法において、前記テスト信号は、前記ローカル発振器信号の周波数に関して前記スペクトルピークの鏡面反転である別のスペクトルピークを削除し、前記テスト信号は、第２のローカル発振器信号の周波数に関して前記スペクトルピークの鏡面反転である別のスペクトルピークを削除する。
【００９９】
例２２では、例２１の記載の方法において、前記テスト信号は、複数の等距離スペクトルピークを有する。
【０１００】
例２３では、例２０乃至２２のいずれか一項に記載の方法において、前記ダウンミックス信号の前記信号特性の前記値は、前記周波数範囲における前記ダウンミックス信号のエネルギに関連し、前記第２のダウンミックス信号の前記信号特性の前記値は、前記周波数範囲における前記第２のダウンミックス信号のエネルギに関連する。
【０１０１】
例２４では、例２０乃至２３のいずれか一項に記載の方法において、前記ダウンミックス信号の前記信号特性の前記値と前記第２のダウンミックス信号の前記信号特性の前記値とを比較するステップは、前記ダウンミックス信号の前記信号特性の前記値と前記第２のダウンミックス信号の前記信号特性の前記値との比を計算するステップを有する。
【０１０２】
例２５は、プログラムがコンピュータ又はプロセッサにより実行されると、例１乃至２４のいずれか一項に記載の方法を実行するためのプログラムコードを有する該プログラムを格納したコンピュータ可読記憶媒体である。
【０１０３】
例２６は、コンピュータプログラムがコンピュータ又はプロセッサにより実行されると、例１乃至２４のいずれか一項に記載の方法を実行するよう構成されるプログラムコードを有するコンピュータプログラムである。
【０１０４】
例２７は、共通ローカル発振器を用いる通信機の内部の受信機のイメージ除去特性を決定するシステムであって、スペクトルピークを有するテスト信号を生成するよう構成される信号生成器であって、前記ローカル発振器は、前記スペクトルピークの中心周波数からのオフセットを有する周波数を有するローカル発振器信号を生成するよう構成され、前記受信機は、ダウンミックス信号を生成するために、前記ローカル発振器信号を用いて前記テスト信号をダウンミックスするよう構成される、信号生成器と、前記ダウンミックス信号の所望の信号成分に対応する第１の周波数範囲における前記ダウンミックス信号の信号特性の第１の値を計算し、前記ダウンミックス信号の不要な信号成分に対応する第２の周波数範囲における前記ダウンミックス信号の前記信号特性の第２の値を計算し、前記イメージ除去特性を生成するために、前記第１の値及び前記第２の値を比較するよう構成される分析ユニットと、を有するシステムである。
【０１０５】
例２８では、例２７のシステムにおいて、前記第１の周波数範囲の中心周波数は、中間周波数からのオフセットを有し、前記第２の周波数範囲は、前記中間周波数に関して前記第１の周波数範囲の鏡面反転である。
【０１０６】
例２９では、例２８のシステムにおいて、中間周波数はゼロである。
【０１０７】
例３０では、例２７乃至２９のいずれか一項に記載のシステムにおいて、前記テスト信号は、前記ローカル発振器信号の周波数に関して前記スペクトルピークの鏡面反転である別のスペクトルピークを削除する。
【０１０８】
例３１では、例３０の記載のシステムにおいて、前記テスト信号は、複数の等距離スペクトルピークを有する。
【０１０９】
例３２では、例２７乃至３１のいずれか一項に記載のシステムにおいて、前記信号特性の前記第１の値は、前記第１の周波数範囲における前記ダウンミックス信号のエネルギに関連し、前記信号特性の前記第２の値は、前記第２の周波数範囲における前記ダウンミックス信号のエネルギに関連する。
【０１１０】
例３３では、例２７乃至３２のいずれか一項に記載のシステムにおいて、前記分析ユニットは、前記信号特性の前記第１の値及び前記信号特性の前記第２の値の比を計算することにより、前記信号特性の前記第１の値と前記信号特性の前記第２の値とを比較するよう構成される。
【０１１１】
例３４では、請求項２７又は３３に記載のシステムにおいて、前記信号生成器は、前記ローカル発振器のために使用される基準信号の周波数を逓倍することにより、前記テスト信号を生成するよう構成される。
【０１１２】
例３５では、例３４のシステムにおいて、前記信号生成器は、ノードとＮＡＮＤゲートの第１の入力とに接続される偶数個の直列接続された第１のインバータと、前記ノードと前記ＮＡＮＤゲートの第２の入力とに接続される奇数個の直列接続された第２のインバータと、を有し、前記基準信号に関連する信号は前記ノードに供給される。
【０１１３】
例３６は、共通ローカル発振器を用いる通信機の内部の受信機のイメージ除去特性を決定するシステムであって、スペクトルピークを有するテスト信号を生成するよう構成される信号生成器であって、前記ローカル発振器は、前記スペクトルピークの中心周波数からのオフセットを有する周波数を有するローカル発振器信号と、前記スペクトルピークの前記中心周波数に関して前記ローカル発振器信号の周波数の鏡面反転である周波数を有する第２のローカル発振器信号と、を生成するよう構成され、前記受信機は、ダウンミックス信号を生成するために、前記ローカル発振器信号を用いて前記テスト信号をダウンミックスし、第２のダウンミックス信号を生成するために、前記第２のローカル発振器信号を用いて前記テスト信号をダウンミックスするよう構成される、信号生成器と、前記ダウンミックス信号の信号特性の値と、前記ダウンミックス信号の所望の信号成分に対応する第１の周波数範囲における前記第２のダウンミックス信号の前記信号特性の値と、を計算し、前記イメージ除去特性を生成するために、前記ダウンミックス信号及び前記第２のダウンミックス信号の前記信号特性の前記値を比較するよう構成される分析ユニットと、を有するシステムである。
【０１１４】
例３７では、例３６に記載のシステムにおいて、前記テスト信号は、前記ローカル発振器信号の周波数に関して前記スペクトルピークの鏡面反転である別のスペクトルピークを削除し、前記テスト信号は、第２のローカル発振器信号の周波数に関して前記スペクトルピークの鏡面反転である別のスペクトルピークを削除する。
【０１１５】
例３８では、例３７の記載のシステムにおいて、前記テスト信号は、複数の等距離スペクトルピークを有する。
【０１１６】
例３９では、例３６乃至３８のいずれか一項に記載のシステムにおいて、前記ダウンミックス信号の前記信号特性の前記値は、前記周波数範囲における前記ダウンミックス信号のエネルギに関連し、前記第２のダウンミックス信号の前記信号特性の前記値は、前記周波数範囲における前記第２のダウンミックス信号のエネルギに関連する。
【０１１７】
例４０では、例３６乃至３９のいずれか一項に記載のシステムにおいて、前記分析ユニットは、前記ダウンミックス信号の前記信号特性の前記値と前記第２のダウンミックス信号の前記信号特性の前記値との比を計算することにより、前記ダウンミックス信号の前記信号特性の前記値と前記第２のダウンミックス信号の前記信号特性の前記値とを比較するよう構成される。
【０１１８】
例４１では、請求項３６乃至４０のいずれか一項に記載のシステムにおいて、前記信号生成器は、前記ローカル発振器のために使用される基準信号の周波数を逓倍することにより、前記テスト信号を生成するよう構成される。
【０１１９】
例４２では、例４１のシステムにおいて、前記信号生成器は、ノードとＮＡＮＤゲートの第１の入力とに接続される偶数個の直列接続された第１のインバータと、前記ノードと前記ＮＡＮＤゲートの第２の入力とに接続される奇数個の直列接続された第２のインバータと、を有し、前記基準信号に関連する信号は前記ノードに供給される。
【０１２０】
例４３は、ローカル発振器を用いるＧＮＳＳ（Global  Navigation  Satellite  System）受信機のイメージ除去特性を決定するシステムであって、スペクトルピークを有するテスト信号を生成するよう構成される信号生成器であって、前記ローカル発振器は、前記スペクトルピークの中心周波数からのオフセットを有する周波数を有するローカル発振器信号を生成するよう構成され、前記ＧＮＳＳ受信機は、ダウンミックス信号を生成するために、前記ローカル発振器信号を用いて前記テスト信号をダウンミックスするよう構成される、信号生成器と、前記ダウンミックス信号の所望の信号成分に対応する第１の周波数範囲における前記ダウンミックス信号の信号特性の第１の値を計算し、前記ダウンミックス信号の不要な信号成分に対応する第２の周波数範囲における前記ダウンミックス信号の前記信号特性の第２の値を計算し、前記イメージ除去特性を生成するために、前記第１の値及び前記第２の値を比較するよう構成される分析ユニットと、を有するシステムである。
【０１２１】
例４４では、例４３のシステムにおいて、前記第１の周波数範囲の中心周波数は、中間周波数からのオフセットを有し、前記第２の周波数範囲は、前記中間周波数に関して前記第１の周波数範囲の鏡面反転である。
【０１２２】
例４５では、例４４のシステムにおいて、中間周波数はゼロである。
【０１２３】
例４６では、例４３乃至４５のいずれか一項に記載のシステムにおいて、前記テスト信号は、前記ローカル発振器信号の周波数に関して前記スペクトルピークの鏡面反転である別のスペクトルピークを削除する。
【０１２４】
例４７では、例４６の記載のシステムにおいて、前記テスト信号は、複数の等距離スペクトルピークを有する。
【０１２５】
例４８では、例４３乃至４７のいずれか一項に記載のシステムにおいて、前記信号特性の前記第１の値は、前記第１の周波数範囲における前記ダウンミックス信号のエネルギに関連し、前記信号特性の前記第２の値は、前記第２の周波数範囲における前記ダウンミックス信号のエネルギに関連する。
【０１２６】
例４９では、例４３乃至４８のいずれか一項に記載のシステムにおいて、前記分析ユニットは、前記信号特性の前記第１の値及び前記信号特性の前記第２の値の比を計算することにより、前記信号特性の前記第１の値と前記信号特性の前記第２の値とを比較するよう構成される。
【０１２７】
例５０では、請求項４３乃至４９のいずれか一項に記載のシステムにおいて、前記信号生成器は、前記ローカル発振器のために使用される基準信号の周波数を逓倍することにより、前記テスト信号を生成するよう構成される。
【０１２８】
例５１では、例５０のシステムにおいて、前記信号生成器は、ノードとＮＡＮＤゲートの第１の入力とに接続される偶数個の直列接続された第１のインバータと、前記ノードと前記ＮＡＮＤゲートの第２の入力とに接続される奇数個の直列接続された第２のインバータと、を有し、前記基準信号に関連する信号は前記ノードに供給される。
【０１２９】
例５２は、ローカル発振器を用いるＧＮＳＳ（Global  Navigation  Satellite  System）受信機のイメージ除去特性を決定するシステムであって、スペクトルピークを有するテスト信号を生成するよう構成される信号生成器であって、前記ローカル発振器は、前記スペクトルピークの中心周波数からのオフセットを有する周波数を有するローカル発振器信号を生成し、前記スペクトルピークの前記中心周波数に関して前記ローカル発振器信号の周波数の鏡面反転である周波数を有する第２のローカル発振器信号を生成するよう構成され、前記受信機は、ダウンミックス信号を生成するために、前記ローカル発振器信号を用いて前記テスト信号をダウンミックスし、第２のダウンミックス信号を生成するために、前記第２のローカル発振器信号を用いて前記テスト信号をダウンミックスするよう構成される、信号生成器と、前記ダウンミックス信号の信号特性の値と、前記ダウンミックス信号の所望の信号成分に対応する第１の周波数範囲における前記第２のダウンミックス信号の前記信号特性の値と、を計算し、前記イメージ除去特性を生成するために、前記ダウンミックス信号及び前記第２のダウンミックス信号の前記信号特性の前記値を比較するよう構成される分析ユニットと、を有するシステムである。
【０１３０】
例５３では、例５２に記載のシステムにおいて、前記テスト信号は、前記ローカル発振器信号の周波数に関して前記スペクトルピークの鏡面反転である別のスペクトルピークを削除し、前記テスト信号は、前記第２のローカル発振器信号の周波数に関して前記スペクトルピークの鏡面反転である別のスペクトルピークを削除する。
【０１３１】
例５４では、例５３の記載のシステムにおいて、前記テスト信号は、複数の等距離スペクトルピークを有する。
【０１３２】
例５５では、例５２乃至５４のいずれか一項に記載のシステムにおいて、前記ダウンミックス信号の前記信号特性の前記値は、前記周波数範囲における前記ダウンミックス信号のエネルギに関連し、前記第２のダウンミックス信号の前記信号特性の前記値は、前記周波数範囲における前記第２のダウンミックス信号のエネルギに関連する。
【０１３３】
例５６では、例５２乃至５５のいずれか一項に記載のシステムにおいて、前記分析ユニットは、前記ダウンミックス信号の前記信号特性の前記値と前記第２のダウンミックス信号の前記信号特性の前記値との比を計算することにより、前記ダウンミックス信号の前記信号特性の前記値と前記第２のダウンミックス信号の前記信号特性の前記値とを比較するよう構成される。
【０１３４】
例５７では、請求項５２乃至５６のいずれか一項に記載のシステムにおいて、前記信号生成器は、前記ローカル発振器のために使用される基準信号の周波数を逓倍することにより、前記テスト信号を生成するよう構成される。
【０１３５】
例５８では、例５７のシステムにおいて、前記信号生成器は、ノードとＮＡＮＤゲートの第１の入力とに接続される偶数個の直列接続された第１のインバータと、前記ノードと前記ＮＡＮＤゲートの第２の入力とに接続される奇数個の直列接続された第２のインバータと、を有し、前記基準信号に関連する信号は前記ノードに供給される。
【０１３６】
例５９は、共通ローカル発振器を用いる通信機であって、例２７乃至４２のいずれか一項に記載の通信機の内部の受信機のイメージ除去特性を決定するシステムを有する通信機である。
【０１３７】
例６０では、例５９の送信機は、ローカル発振器信号を用いてアップミックス信号を生成するよう構成される送信機を更に有する。
【０１３８】
例６１は、例５９又は６０に記載の通信機及び／又は例４３乃至５８のいずれか一項に記載のＧＮＳＳ（Global  Navigation  Satellite  System）受信機のイメージ除去特性を決定するシステムを有するモバイル通信装置である。
【０１３９】
例６２では、例６１のモバイル通信装置は、前記通信機及び／又は前記ＧＮＳＳ受信機に結合される少なくとも１つのアンテナを更に有する。
【０１４０】
例６３は、例４３乃至５８のいずれか一項に記載のＧＮＳＳ受信機のイメージ除去特性を決定するシステムを有するナビゲーション装置である。
【０１４１】
例６４は、共通ローカル発振器を用いる通信機の内部の受信機のイメージ除去特性を決定する手段であって、スペクトルピークを有するテスト信号を生成する手段であって、前記ローカル発振器は、前記スペクトルピークの中心周波数からのオフセットを有する周波数を有するローカル発振器信号を生成するよう構成され、前記受信機は、ダウンミックス信号を生成するために、前記ローカル発振器信号を用いて前記テスト信号をダウンミックスするよう構成される、手段と、前記ダウンミックス信号の所望の信号成分に対応する第１の周波数範囲における前記ダウンミックス信号の信号特性の第１の値を計算し、前記ダウンミックス信号の不要な信号成分に対応する第２の周波数範囲における前記ダウンミックス信号の前記信号特性の第２の値を計算し、前記イメージ除去特性を生成するために、前記第１の値及び前記第２の値を比較する手段と、を有する手段である。
【０１４２】
例６５では、例６４の手段において、前記第１の周波数範囲の中心周波数は、中間周波数からのオフセットを有し、前記第２の周波数範囲は、前記中間周波数に関して前記第１の周波数範囲の鏡面反転である。
【０１４３】
例６６は、共通ローカル発振器を用いる通信機の内部の受信機のイメージ除去特性を決定する手段であって、スペクトルピークを有するテスト信号を生成する手段であって、前記ローカル発振器は、前記スペクトルピークの中心周波数からのオフセットを有する周波数を有するローカル発振器信号を生成し、前記スペクトルピークの前記中心周波数に関して前記ローカル発振器信号の周波数の鏡面反転である周波数を有する第２のローカル発振器信号を生成するよう構成され、前記受信機は、ダウンミックス信号を生成するために、前記ローカル発振器信号を用いて前記テスト信号をダウンミックスし、第２のダウンミックス信号を生成するために、前記第２のローカル発振器信号を用いて前記テスト信号をダウンミックスするよう構成される、手段と、前記ダウンミックス信号の信号特性の値と、前記ダウンミックス信号の所望の信号成分に対応する第１の周波数範囲における前記第２のダウンミックス信号の前記信号特性の値と、を計算し、前記イメージ除去特性を生成するために、前記ダウンミックス信号及び前記第２のダウンミックス信号の前記信号特性の前記値を比較する手段と、を有する手段である。
【０１４４】
例６７では、例６６に記載の手段において、前記テスト信号は、前記ローカル発振器信号の周波数に関して前記スペクトルピークの鏡面反転である別のスペクトルピークを削除し、前記テスト信号は、第２のローカル発振器信号の周波数に関して前記スペクトルピークの鏡面反転である別のスペクトルピークを削除する。
【０１４５】
例６８は、ローカル発振器を用いるＧＮＳＳ（Global  Navigation  Satellite  System）受信機のイメージ除去特性を決定する手段であって、スペクトルピークを有するテスト信号を生成する手段であって、前記ローカル発振器は、前記スペクトルピークの中心周波数からのオフセットを有する周波数を有するローカル発振器信号を生成するよう構成され、前記ＧＮＳＳ受信機は、ダウンミックス信号を生成するために、前記ローカル発振器信号を用いて前記テスト信号をダウンミックスするよう構成される、手段と、前記ダウンミックス信号の所望の信号成分に対応する第１の周波数範囲における前記ダウンミックス信号の信号特性の第１の値を計算し、前記ダウンミックス信号の不要な信号成分に対応する第２の周波数範囲における前記ダウンミックス信号の前記信号特性の第２の値を計算し、前記イメージ除去特性を生成するために、前記第１の値及び前記第２の値を比較する手段と、を有する手段である。
【０１４６】
例６９では、例６８の手段において、前記第１の周波数範囲の中心周波数は、中間周波数からのオフセットを有し、前記第２の周波数範囲は、前記中間周波数に関して前記第１の周波数範囲の鏡面反転である。
【０１４７】
例７０は、ローカル発振器を用いるＧＮＳＳ（Global  Navigation  Satellite  System）受信機のイメージ除去特性を決定する手段であって、スペクトルピークを有するテスト信号を生成する手段であって、前記ローカル発振器は、前記スペクトルピークの中心周波数からのオフセットを有する周波数を有するローカル発振器信号を生成し、前記スペクトルピークの前記中心周波数に関して前記ローカル発振器信号の周波数の鏡面反転である周波数を有する第２のローカル発振器信号を生成するよう構成され、前記受信機は、ダウンミックス信号を生成するために、前記ローカル発振器信号を用いて前記テスト信号をダウンミックスし、第２のダウンミックス信号を生成するために、前記第２のローカル発振器信号を用いて前記テスト信号をダウンミックスするよう構成される、手段と、前記ダウンミックス信号の信号特性の値と、前記ダウンミックス信号の所望の信号成分に対応する第１の周波数範囲における前記第２のダウンミックス信号の前記信号特性の値と、を計算し、前記イメージ除去特性を生成するために、前記ダウンミックス信号及び前記第２のダウンミックス信号の前記信号特性の前記値を比較する手段と、を有する手段である。
【０１４８】
例７１では、例７０に記載の手段において、前記テスト信号は、前記ローカル発振器信号の周波数に関して前記スペクトルピークの鏡面反転である別のスペクトルピークを削除し、前記テスト信号は、更なるローカル発振器信号の周波数に関して前記スペクトルピークの鏡面反転である別のスペクトルピークを削除する。
【０１４９】
例は、コンピュータプログラムがコンピュータ又はプロセッサにより実行されると、上述の方法のうちの１つを実行するためのプログラムコードを有するコンピュータプログラムを更に提供し得る。当業者は、種々の上述の方法のステップがプログラムされたコンピュータにより実行されても良いことを直ちに理解する。本願明細書では、幾つかの例は、機械若しくはコンピュータ可読であり機械実行可能若しくはコンピュータ実行可能プログラム命令であって、該命令は上述の方法の動作のうちの一部若しくは全部を実行する、命令を符号化するプログラム記憶装置、例えばデジタルデータ記憶媒体も包含することを意図する。プログラム記憶装置は、例えば、デジタルメモリ、磁気ディスク及び磁気テープのような磁気記憶媒体、ハードドライブ、又は光学可読デジタルデータ記憶媒体であっても良い。更なる例は、上述の方法の動作を実行するようプログラミングされるコンピュータ、又は上述の方法の動作を実行するようプログラミングされた（Ｆ）ＰＬＡ（（field）programmable  logic  array）若しくは（Ｆ）ＰＧＡ（（field）programmable  gate  array）も包含することを意図する。
【０１５０】
説明及び図面は、単に本開示の原理を説明するだけである。したがって、当業者は種々の構成を考案できることが理解される。これらの構成は、本願明細書に明示的に記載又は示されないが、本開示の原理を具現化し本発明の精神と範囲に包含される。さらに、本願明細書に記載された全ての例は、単に教育上の目的で、読者が本開示の原理及び発明者により考案された概念を理解するのを助け、技術を促進させるためであり、これらの特に記載された例及び条件に限定されないものと考えられるべきである。さらに、本願明細書における本開示の原理、態様、及び例、並びにそれらの特定の例を引用する全ての記載は、それらと等価なものを包含すると考えられる。
【０１５１】
（特定の機能を実行する）「〜する手段」のように示される機能ブロックは、それぞれ、特定の機能を実行するよう構成される開路を有する機能ブロックとして理解されるべきである。したがって、「〜する手段（means  for  s.th.）」は、「〜するよう構成される又は〜するのに適する手段（means  configured  to  or  suited  for  s.th.）」として理解できる。したがって、特定の機能を実行するよう構成される手段は、そのような手段が必ずしも（所与の時点において）該機能を実行していることを意味しない。
【０１５２】
「手段」、「センサ信号を提供する手段」、「送信信号を生成する手段」、等のようにラベル付けされる任意の機能ブロックを含む、図示される種々の要素の機能は、「信号プロバイダ」、「信号処理ユニット」、「プロセッサ」、「制御部」、等のような専用ハードウェア並びに適切なソフトウェアに関連するソフトウェアを実行可能なハードウェアの使用を通じて提供されても良い。さらに、本願明細書に記載の任意のエンティティは、「１又は複数のモジュール」、「１又は複数の装置」、「１又は複数のユニット」等に対応し又はそのように実装されても良い。プロセッサにより提供されるとき、機能は、単一の専用プロセッサにより、単一の共有プロセッサにより、又はいくつかが共有され得る複数の個々のプロセッサにより、提供されても良い。さらに、用語「プロセッサ」又は「制御部」の明示的な使用は、ソフトウェアを実行可能なハードウェアを排他的に表すと考えられるべきではなく、ＤＳＰ（digital  signal  processor）ハードウェア、ネットワークプロセッサ、ＡＳＩＣ（application  specific  integrated  circuit）、ＦＰＧＡ（field  programmable  gate  array）、ソフトウェアを格納するＲＯＭ（read−only  memory）、ＲＡＭ（random  access  memory）、不揮発性記憶装置、等を黙示的に包含するがこれらに限定されない。他のハードウェア、つまり従来及び／又はカスタムのものも含まれてもよい。
【０１５３】
当業者により、本願明細書で提示される任意のブロック図は本開示の原理を具現化する説明のための回路の概念図を提示するものであることが理解されるべきである。同様に、如何なるフローチャート、フロー図、状態遷移図、擬似コード等は種々の処理を表し、コンピュータ可読媒体に実質的に表現されてもよく、従ってコンピュータ又はプロセッサにより実行されてもよく、該コンピュータ又はプロセッサが明示されているか否かを問題としないことが理解される。
【０１５４】
さらに、添付の請求項は、各請求項が別個の例として存在するとして、詳細な説明に組み込まれる。各々の請求項は別個の例として存在し得る。一方で、従属請求項は請求項の中で１又は複数の他の請求項との特定の組合せを表し得るが、他の例も、各々の他の従属又は独立請求項の主題と従属請求項との組合せを含み得ることに留意すべきである。特定の組合せが意図されないと断りのない限り、このような組合せは本願明細書において提案される。さらに、請求項が独立請求項に直接に依存しない場合でも、この請求項の特徴を任意の他の独立請求項に含むことが意図される。
【０１５５】
さらに、本願明細書又は請求項に開示される方法は、これらの方法の個々の動作の各々を実行する手段を有する装置により実施されても良いことに留意すべきである。
【０１５６】
さらに、明細書又は請求項に開示される複数の動作又は機能の開示は、特定の順序であると考えられないことが理解されるべきである。したがって、複数の動作又は機能の開示は、このような動作又は機能が技術的理由から交換可能でない限り、これらを特定の順序に限定しない。さらに、幾つかの例では、単一の動作は、複数の下位動作を含んでも良く、或いは、複数の下位動作に分解されても良い。このような下位動作は、明示的に除外されない限り、単一の動作の開示の部分であり又はそれに含まれても良い。
【符号の説明】
【０１５７】
１００  システム
１０１  通信機
１１０  受信機
１２０  信号生成器
１３０  ローカル発振器
１４０  分析ユニット
１５０  テスト信号
１６０  ダウンミックス信号
１７０  ローカル発振器信号
２００  通信機
２２０  周波数逓倍器
２３０  周波数合成器
２４０  処理ユニット
２７５  基準クロック信号
２８０  出力
２９０  入力
３００  周波数逓倍器
５００  システム
５１０  ＧＮＳＳ受信機
５３０  ローカル発振器
５４０  分析ユニット
５５０  テスト信号
５６０  ダウンミックス信号
５７０  ローカル発振器信号
【図１】
2017011688.tif 000003
【図２】
2017011688.tif 000004
【図３】
2017011688.tif 000005
【図４】
2017011688.tif 000006
【図５】
2017011688.tif 000007
【図６】
2017011688.tif 000008
【図７】
2017011688.tif 000009
【図８】
2017011688.tif 000010
【図９】
2017011688.tif 000011
【図１０】
2017011688.tif 000012
【図１１】
2017011688.tif 000013
【図１２】
2017011688.tif 000014
【外国語明細書】
2017011688000001.pdf
2017011688000002.pdf
2017011688000003.pdf
2017011688000004.pdf